(57)【要約】【課題】小型化を図ることができる照明器具を提供する。【解決手段】照明器具Ｘは、ＬＥＤモジュールを備える光源ユニット２と、放熱部材２１と、レンズ部材２２と、点灯ユニット４と、受信部４０７とを備える。放熱部材２１は光源ユニット２を保持する。レンズ部材２２は、ＬＥＤモジュールと対向して配置されており、ＬＥＤモジュールから照射される光の配光を制御する。点灯ユニット４は光源ユニット２を点灯させる。受信部４０７は、外部機器から送信される無線信号を受信する。点灯ユニット２は、受信部４０７が無線信号を受信した場合に無線信号の制御内容に応じて点灯ユニット４の点灯状態を制御する。受信部４０７は、放熱部材２１においてレンズ部材２２の投影範囲に設けられた貫通部を通して無線信号を受信可能な位置に配置されている。【選択図】図１
2017073276.tif 000002
【特許請求の範囲】
【請求項１】
固体発光素子と、
前記固体発光素子を保持する基台と、
前記固体発光素子と対向して配置されており、前記固体発光素子から照射される光の配光を制御するレンズ部材と、
前記固体発光素子を点灯させる点灯回路と、
外部機器から送信される無線信号を受信する受信部とを備え、
前記点灯回路は、前記受信部が前記無線信号を受信した場合に前記無線信号の制御内容に応じて前記固体発光素子の点灯状態を制御するように構成され、
前記受信部は、前記基台において前記レンズ部材の投影範囲に設けられた貫通部を通して前記無線信号を受信可能な位置に配置された
ことを特徴とする照明器具。
【請求項２】
二次電池と、外部電源から電力供給を受けて前記二次電池を充電する充電回路とを更に備え、
前記点灯回路は、前記外部電源が通電している状態では前記固体発光素子を消灯させ、前記外部電源が停電している状態では前記二次電池から供給される電力で前記固体発光素子を点灯させており、
前記点灯回路は、前記外部電源が通電している状態で試験点灯を指示する無線信号を前記受信部が受信した場合に、前記二次電池から供給される電力で前記固体発光素子を試験点灯させるように構成された
ことを特徴とする請求項１に記載の照明器具。
【請求項３】
前記レンズ部材の出射側に配置されたカバーを、更に備え、
前記レンズ部材は、前記カバーに設けられた貫通孔から露出するレンズ部と、前記レンズ部の外縁部分から外向きに突出しており前記カバーにおける前記貫通孔の周縁部と接触する鍔部とを有し、
前記鍔部において前記貫通孔から露出する部位を前記基台に投影した投影範囲に前記貫通部が設けられた
ことを特徴とする請求項１又は２に記載の照明器具。
【請求項４】
前記レンズ部材の出射側に配置されたカバーを、更に備え、
前記レンズ部材は、前記カバーに設けられた貫通孔から露出するレンズ部と、前記レンズ部の外縁部分から外向きに突出しており前記カバーにおける前記貫通孔の周縁部と接触する鍔部とを有し、
前記基台における前記レンズ部の投影範囲に前記貫通部が設けられた
ことを特徴とする請求項１又は２に記載の照明器具。
【発明の詳細な説明】
【技術分野】
【０００１】
本発明は、照明器具に関する。
【背景技術】
【０００２】
従来例として、特許文献１記載の非常灯を例示する。特許文献１記載の非常灯（以下、従来例という）は、光源部と、光源部を支持する枠部材と、バッテリと、バッテリを電源として光源部を点灯させる点灯ユニットと、バッテリ及び点灯ユニットを内部に収容し、かつ、枠部材が取り付けられる器具本体とを備える。この従来例は、廊下や通路の天井に埋込配設され、電力系統の停電時に非常点灯して、廊下や通路の照明を行うように構成される。
【０００３】
光源部は、基板と、基板に実装される光源（半導体発光素子）と、光源から放射される光の配光を制御するガラスレンズとを有する。枠部材は中央部に円形の開口部を有し、この開口部からガラスレンズのレンズ部分が露出している。
【０００４】
また、点灯ユニットは、非常点灯の動作を点検するための点検スイッチを有し、この点検スイッチを操作するための引き紐は、枠部材に設けられた点検スイッチ用貫通孔に挿入されて、点検スイッチ用貫通孔から下方に垂れ下がっている。引き紐を引っ張って点検スイッチを操作すると、点灯ユニットがバッテリを電源として光源部を点灯させており、非常点灯の動作を点検することができる。また、従来例において、点検スイッチが、点検を開始するための赤外線等の無線信号を受信する受光素子である場合、点検スイッチ用貫通孔を通過した無線信号を受光素子が受信することで、点灯ユニットが非常点灯の動作を点検するように構成されている。
【先行技術文献】
【特許文献】
【０００５】
【特許文献１】特開２０１２−８４３２４号公報
【発明の概要】
【発明が解決しようとする課題】
【０００６】
上記の従来例では、赤外線等の無線信号を通過させる点検スイッチ用貫通孔が、枠部材の表面において、ガラスレンズのレンズ部分が露出する開口部の外側に設けられている。そのため、点検スイッチ用貫通孔を設けるスペースを確保するために枠部材の大きさが大きくなり、非常灯（照明器具）の全体の大きさが大型化するという問題があった。
【０００７】
本発明は上記課題に鑑みてなされ、小型化を図ることができる照明器具を提供することを目的とする。
【課題を解決するための手段】
【０００８】
本発明の照明器具は、固体発光素子と、前記固体発光素子を保持する基台と、前記固体発光素子と対向して配置されており、前記固体発光素子から照射される光の配光を制御するレンズ部材と、前記固体発光素子を点灯させる点灯回路と、外部機器から送信される無線信号を受信する受信部とを備え、前記点灯回路は、前記受信部が前記無線信号を受信した場合に前記無線信号の制御内容に応じて前記固体発光素子の点灯状態を制御するように構成され、前記受信部は、前記基台において前記レンズ部材の投影範囲に設けられた貫通部を通して前記無線信号を受信可能な位置に配置されたことを特徴とする。
【発明の効果】
【０００９】
本発明の照明器具によれば、小型化を図ることができる。
【図面の簡単な説明】
【００１０】
【図１】実施形態の照明器具の分解斜視図である。
【図２】実施形態の照明器具を示し、カバーを取り外した状態の一部破断した正面図である。
【図３】実施形態の照明器具を示し、図３Ａは背面図、図３Ｂは正面図、図３Ｃは平面図である。
【図４】実施形態の照明器具が備える点灯装置の回路ブロック図である。
【図５】実施形態の照明器具が備える光源ユニットの分解斜視図である。
【図６】実施形態の照明器具が備える光源ユニットの斜視図である。
【図７】実施形態の照明器具が備える光源ユニットを示し、図７Ａは正面図、図７Ｂは左側面図、図７Ｃは右側面図、図７Ｄは背面図である。
【図８】実施形態の照明器具が備える光源ユニットの縦断面図である。
【図９】別の実施形態に係る照明器具の斜視図である。
【図１０】別の実施形態に係る照明器具を示し、カバーを取り外した状態の正面図である。
【発明を実施するための形態】
【００１１】
本実施形態は、照明器具に関し、より詳細には、固体発光素子を光源とする照明器具に関する。
【００１２】
以下、本実施形態の照明器具について図面を参照して説明する。本実施形態に係る照明器具Ｘは、電池内蔵型の非常用照明器具として構成されているが、一般照明用の照明器具であってもよい。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１３】
まず、本実施形態に係る照明器具Ｘの概略構成を説明する。本実施形態に係る照明器具Ｘは、図１に示すように、器具本体１と、光源ユニット２と、電池ユニット３、点灯ユニット４、カバー５とを備え、建物の通路や廊下などの天井に埋込配設される。ただし、以下の照明器具Ｘの説明では、図１において上下、左右、前後の各方向を規定する。
【００１４】
器具本体１は、下端部に開口が設けられて上端部が閉塞された筒状に形成される。また、器具本体１は、左右両側に平坦な面（平坦面）を有し、それらの平坦面を除く周面が円筒面となるように構成されている。さらに、器具本体１の下端縁には、外向きに突出する円環状のフランジ１０が形成されている（図２参照）。なお、器具本体１は、器具本体１の下端の近傍における左前方の位置から内側に突出する被固定部１２を有することが好ましい（図１及び図２参照）。この被固定部１２は矩形の平板状に形成され、先端の近傍にねじが挿入される挿入孔１２０が設けられている。
【００１５】
器具本体１の左右両側の平坦面には、それぞれ支持具６が１つずつ取り付けられている（図３Ａ及び図３Ｃ参照）。これら一対の支持具６は、長尺の板ばね状に形成されている。それぞれの支持具６は、長手方向の一端部で器具本体１の平坦面に固定され、かつ、長手方向の他端部が器具本体１の上板１１に近付く向き（上向き）に撓み可能に構成されている。器具本体１は、一対の支持具６の他端部が器具本体１の上板１１に近づく向きに撓められた状態で、天井材に設けられた埋込孔に下側から挿入される。器具本体１が埋込孔に挿入されると、一対の支持具６がそれぞれ撓められる前の状態に戻り、一対の支持具６とフランジ１０との間で天井材が挟み込まれた状態で器具本体１が天井材に支持される。
【００１６】
カバー５は、鋼鈑を加工して、器具本体１のフランジ１０の外径よりも大きい円盤状に形成されており、中央に円形の貫通孔５０が設けられている（図１及び図３Ｂ参照）。この貫通孔５０には、光源ユニット２が備えるレンズ部材２２のレンズ部２２０が挿入される。カバー５は、器具本体１の下端部の開口を開放可能に塞ぐように構成されている。カバー５の上面における前端及び後端には、それぞれ取付ばね７が取り付けられている。一対の取付ばね７は、器具本体１の内周面の前側及び後側にそれぞれ一対ずつ設けられる挿通溝１３（図１及び図２参照）に抜き差し可能に挿通される。つまり、カバー５は、一対の取付ばね７がそれぞれ一対の挿通溝１３に挿通されることにより、器具本体１の下端部の開口を閉塞する状態で器具本体１に保持される（図３Ｃ参照）。
【００１７】
電池ユニット３は、複数本の二次電池３０と、これら複数本の二次電池３０を収容する電池ケース３１とを有する（図２参照）。二次電池３０は、例えば、円筒形のニッケル水素蓄電池、あるいは、円筒形のリチウムイオン二次電池などの二次電池が好ましい。電池ケース３１は、上下両側の底面が馬蹄形（Ｕ字形）である筒状に形成されている。複数本の二次電池３０は、軸方向を上下方向とし、径方向に沿って一列に並ぶように電池ケース３１内に収容されており、複数本の二次電池３０は電気的に直列接続されている。電池ケース３１の下側の前端部には、点灯ユニット４と電気的に接続されるコネクタ部３２が設けられている（図１参照）。
【００１８】
点灯ユニット４は、点灯装置４０と、点灯装置４０を収容する筐体４１とを有する。点灯装置４０の回路ブロック図を図４に示す。点灯装置４０は、直流電源回路４００、充電回路４０１、点灯回路４０２、停電検出回路４０３、制御回路４０４、モニタランプ４０５、押釦スイッチ４０６、受信部４０７などを備えている。
【００１９】
直流電源回路４００は、例えば、リンギングチョークコンバータなどの自励型のスイッチング電源回路で構成され、外部電源（例えば、商用の電力系統）Ｗから供給される交流電圧を、当該交流電圧の実効値よりも低い直流電圧に変換する。充電回路４０１は、外部電源Ｗから給電されているときに動作し、直流電源回路４００から電池ユニット３へ一定の充電電流を流すように構成されている。点灯回路４０２は、電池ユニット３から供給される直流電流を定電流化して光源ユニット２に供給するように構成されている。停電検出回路４０３は、直流電源回路４００の出力電圧をモニタしており、直流電源回路４００の出力電圧から外部電源Ｗの停電を検出した場合、制御回路４０４に停電の発生を通知するように構成される。モニタランプ４０５は、例えば、緑色光を放射する発光ダイオードで構成され、充電回路４０１から電池ユニット３に供給される充電電流によって発光させられる。受信部４０７は、赤外線を通信媒体とする無線信号を受信し、受信した無線信号から送信フレームを復調して制御回路４０４に渡すように構成される。この無線信号は、照明器具Ｘの動作点検を行う作業者によって操作されるワイヤレス送信器（外部機器）から送信される無線信号であり、試験点灯を指示する無線信号である。照明器具Ｘの動作点検は、例えば照明器具Ｘの設置時や定期点検時に実施される。非常灯のような照明器具Ｘの定期点検は、例えば法令で定められた期間ごとに実施され、電池ユニット３から供給される電力で点灯回路４０２を強制的に動作させて光源ユニット２が規定の時間以上、点灯状態を維持できることを確認するために実施される。なお、外部機器から送信される無線信号は、試験点灯を指示する無線信号に限定されず、照明器具Ｘに所望の動作（例えば、一定時間だけ点灯させる動作など）を行わせることを制御内容とする無線信号でもよい。
【００２０】
制御回路４０４は、停電検出回路４０３が停電を検出していないとき、充電回路４０１を動作させ、かつ、点灯回路４０２を停止（つまり点灯回路４０２に光源ユニット２を消灯）させるように構成される。
【００２１】
また、制御回路４０４は、停電検出回路４０３が停電を検出しているとき、充電回路４０１を停止させ、かつ、点灯回路４０２を動作（つまり点灯回路４０２に光源ユニット２を点灯）させるように構成される。これにより、外部電源Ｗの停電時に光源ユニット２が点灯することで、廊下や通路の照明を行うことができる。
【００２２】
さらに、制御回路４０４は、停電検出回路４０３が停電を検知していない状態で、一方の押釦スイッチ４０６Ａが押操作された場合、あるいは、試験点灯を指示する内容の送信フレームを受信部４０７から受け取った場合、光源ユニット２を試験点灯させる。すなわち、制御回路４０４は、充電回路４０１を停止させ、かつ、電池ユニット３から供給される電力で点灯回路４０２に光源ユニット２を点灯させることによって試験点灯を行っており、作業者は点灯状態が規定の時間以上維持できることを確認する。
【００２３】
なお、制御回路４０４は、停電検出回路４０３が停電を検知していない状態で、他方の押釦スイッチ４０６Ｂが押操作された場合、試験点灯を数秒間だけ行うように構成されている。すなわち、制御回路４０４は、押釦スイッチ４０６Ｂが押操作された場合、電池ユニット３から供給される電力で点灯回路４０２を数秒間動作させた後、再度、点灯回路４０２を停止させ、かつ、充電回路４０１を動作させている。この場合は、電池ユニット３の充電量の低下を抑制しつつ、点灯回路４０２が光源ユニット２を点灯させる非常点灯動作が正常に行われることを確認できる。
【００２４】
点灯装置４０は、プリント配線板からなる回路基板に実装される種々の電子部品と、回路基板に形成される導体とで直流電源回路４００から制御回路４０４までの各回路を実現するように構成される。なお、モニタランプ４０５と、２つの押釦スイッチ４０６Ａ、４０６Ｂと、受信部４０７とは、いずれも回路基板の下端近くに実装されることが好ましい（図１及び図２参照）。
【００２５】
点灯ユニット４の筐体４１は、上下両側の底面が六角形である筒状に形成されている。図２に示すように、筐体４１の２つの底面は、１つの辺（第１辺）が対向する他の１つの辺（第２辺）よりも長く、かつ、第１辺の両側の２つの辺（第３辺及び第４辺）が平行となる六角形に形成されている。筐体４１の下面には、３つの開口部４１０Ａ、４１０Ｂ、４１０Ｃが前後方向に一列に並ぶように設けられ、さらに光源ユニット２が備えるレンズ部材２２の投影範囲（レンズ部材２２と重なる範囲）には開口部４１０Ｄが設けられている（図１及び図２参照）。前端の開口部４１０Ａの奥には、電池ユニット３のコネクタ部３２と前後方向に挿抜可能に接続される受け側のコネクタが配置されている。中央の開口部４１０Ｂの奥には、光源ユニット２のプラグコネクタ２６（図５参照）と前後方向に挿抜可能に接続されるレセプタクルコネクタ４０８が配置されている。後端の開口部４１０Ｃの奥には、モニタランプ４０５と、２つの押釦スイッチ４０６Ａ、４０６Ｂと、２つの操作部材４２とが配置されている。２つの操作部材４２は、上下方向に移動可能に設けられており、上向きに移動する際に、それぞれ押釦スイッチ４０６Ａ、４０６Ｂの押釦を押操作するように構成されている。開口部４１０Ｄの奥には受信部４０７が配置されている。また、筐体４１は、速結式の端子台４３を保持するように構成されることが好ましい（図３Ｃ参照）。
【００２６】
点灯ユニット４は、図１及び図２に示すように、筐体４１の上面及び下面の第２辺を器具本体１の平坦面に沿わせるようにして、器具本体１内に収容される。点灯ユニット４は、器具本体１内に収容された状態で、筐体４１の上面が器具本体１の上板１１に設けられた固定片１１０にねじ止めされることによって、器具本体１に固定される（図３Ａ参照）。なお、筐体４１に保持された端子台４３は、図３Ｃに示すように、器具本体１の上板１１に設けられた段差部１１１の孔１１１０を通して、差込口４３０を器具本体１の外に露出させている。差込口４３０に電源線の導体が差し込まれた状態では、端子台４３を介して外部電源Ｗと点灯装置４０とが電気的に接続される。
【００２７】
続いて、照明器具Ｘが備える光源ユニット２について、図５〜図８を参照して詳細に説明する。以下の光源ユニット２の説明では、図５において上下、左右、前後の各方向を規定する。
【００２８】
光源ユニット２は、ＬＥＤモジュール２０、放熱部材２１（基台）、レンズ部材２２、取付部材２３、押さえ部材２４、熱伝導シート２５並びにプラグコネクタ２６などを備えている。ＬＥＤモジュール２０は、矩形平板状の実装基板２００の上面中央に１個又は複数個のＬＥＤチップ（固体発光素子）が実装される。これらのＬＥＤチップは、例えば、青色光を放射する青色発光ダイオードであることが好ましい。ＬＥＤチップは、施工状態において光軸が鉛直下向きとなるように、実装基板２００に実装されている。ＬＥＤチップを含む実装基板２００の上面（施工状態では下側を向く面）は封止樹脂２０１で覆われている。封止樹脂２０１は、ＬＥＤチップから放射される青色光を波長変換する蛍光物質が混入された透光性の樹脂材料であり、表面がドーム形状となるように成形されている。また、実装基板２００の対角の位置にある一対の角部のうち、一方の角部の上面にはカソードの電極２０２が形成され、他方の角部の上面にはアノードの電極２０３が形成されている（図５参照）。ＬＥＤモジュール２０は、アノードの電極２０３とカソードの電極２０２に直流電圧が印加されることにより、白色の照明光を放射するように構成される。なお、本実施形態では固体発光素子が発光ダイオードであるが、ＯＬＥＤ（Organic Light Emitting Diode）などの発光素子でもよい。
【００２９】
熱伝導シート２５は、高熱伝導率、電気絶縁性及び難燃性を有するシリコーン樹脂製のシート材で構成されている。熱伝導シート２５は、ＬＥＤモジュール２０の実装基板２００と放熱部材２１との間に介在し、ＬＥＤチップから発せられて実装基板２００を通して伝導される熱を、放熱部材２１に伝導するように構成される。
【００３０】
押さえ部材２４は、例えば、ポリカーボネート樹脂などの合成樹脂材料によって、おおよそ円盤状に形成されている（図５参照）。押さえ部材２４は、中央にほぼ矩形の孔２４０を有する。押さえ部材２４の上面における孔２４０の周囲には凹所２４１が設けられる。押さえ部材２４の上面において、孔２４０の対角の位置に、上下方向から見てＬ字形の押さえ突起２４２がそれぞれ形成されている。押さえ部材２４は、角筒状のコネクタ保持部２４３を有している。コネクタ保持部２４３は、プラグコネクタ２６を内側に収容して保持するように構成される（図７Ｄ参照）。また、押さえ部材２４には、上下方向において受信部４０７と重なる位置に、押さえ部材２４を上下方向に貫通する貫通孔２４４が形成されている。
【００３１】
プラグコネクタ２６は、一対のコンタクトと、これら一対のコンタクトを電気的に絶縁した状態で支持するコネクタハウジング２６０とを有する。片方のコンタクトは、電線を介してＬＥＤモジュール２０のカソード電極２０２と電気的に接続される。もう片方のコンタクトは、別の電線を介してＬＥＤモジュール２０のアノード電極２０３と電気的に接続される。
【００３２】
レンズ部材２２は、例えば、ガラス製であって、おおよそ円錐台形状のレンズ部２２０と、レンズ部２２０の周縁から外向きに突出する円環状の鍔部２２１とを有している（図５参照）。レンズ部２２０は、図８に示すように、おおよそ回転放物面形状の入射面２２００が形成されている。レンズ部２２０は、入射面２２００に入射する光（ＬＥＤモジュール２０を構成する固体発光素子から放射される照明光）の配光を制御するように構成される。なお、照明器具Ｘが一般照明用の照明器具である場合は、レンズ部材２２の材料はガラス以外でもよく、レンズ部材２２の材料はポリカーボネートなどの透明な合成樹脂材料でもよい。
【００３３】
取付部材２３は、例えば、ポリカーボネート樹脂などの合成樹脂材料によって、おおよそ円環状に形成されている（図５参照）。取付部材２３は、枠部２３０と、一対の引掛部２３２と、固定部２３３とを有している。枠部２３０は、円環状の主部２３００と、主部２３００の外周縁から全周に渡って下向きに突出する円筒形状の周壁部２３０１とを有する。主部２３００は、円形の窓孔２３１を有する。一対の引掛部２３２は、周壁部２３０１の左前及び右前の下面から下向きに突出するように周壁部２３０１と一体に形成されている。引掛部２３２は、周壁部２３０１から下向きに突出する直方体状の突片２３２０と、突片２３２０から周壁部２３０１と並行して突出する直方体状の引掛片２３２１とを有する（図５及び図６参照）。つまり、引掛部２３２は、全体としてＬ字状に形成されている。固定部２３３は、おおよそ台形状に形成されることが好ましい。固定部２３３は、枠部２３０の周壁部２３０１における後面から後方へ突出するように、周壁部２３０１と一体に形成されている（図５、図７Ａ、図７Ｃ参照）。なお、固定部２３３の中央には、ねじが挿入される円形の挿入孔２３３０が設けられている。
【００３４】
放熱部材２１は、アルミ又はアルミ合金製の板材で構成され、ＬＥＤモジュール２０と熱結合される結合部２１０と、点灯ユニット４の筐体４１に固定される固定部２１１とを有している（図５、図６及び図７Ｄ参照）。放熱部材２１は、結合部２１０と固定部２１１をつなぐ連結部２１２を有している。結合部２１０はおおよそ円盤状に形成され、固定部２１１はおおよそ台形状に形成されており、連結部２１２は矩形状に形成されている。なお、固定部２１１は、結合部２１０及び連結部２１２のいずれよりも左右方向の幅寸法を大きくするように構成されている。
【００３５】
結合部２１０の前端における左右両側には、それぞれ被引掛部２１３が設けられる。被引掛部２１３は、取付部材２３の引掛部２３２を放熱部材２１の厚み方向（上下方向）に通過させ、かつ、引掛部２３２を厚み方向と交差する方向（左右方向及び前後方向）に移動可能に構成されている。本実施形態において、被引掛部２１３は、放熱部材２１（の結合部２１０）の周縁部分に形成される切欠２１３０を有することが好ましい。切欠２１３０は、おおよそ矩形に形成されることが好ましい。被引掛部２１３は、切欠２１３０と、切欠２１３０の隣（左隣）に位置する部位（被引掛部位２１３１）とで構成される。なお、被引掛部２１３は、切欠２１３０の代わりに、放熱部材２１を厚み方向に貫通する孔を有してもよい。この場合、被引掛部２１３は、孔と、孔の隣に位置する部位（被引掛部位）とで構成される。
【００３６】
固定部２１１には、２つの丸孔２１１０と、１つのねじ孔２１１１とが設けられる（図５、図６及び図７Ｄ参照）。２つの丸孔２１１０は、左右方向に一列に並ぶように設けられている。ねじ孔２１１１は、固定部２１１の右端近くに設けられている。また、連結部２１２には、矩形の挿入孔２１２０と、ねじ孔２１２１とが設けられている（図５及び図７Ｄ参照）。挿入孔２１２０は連結部２１２のほぼ中央に設けられ、ねじ孔２１２１は挿入孔２１２０の左後方の位置に設けられている。また、連結部２１２には、上下方向において受信部４０７と重なる位置に、連結部２１２を厚み方向（上下方向）に貫通する矩形の貫通孔２１２２が設けられている（図５及び図７Ｄ参照）。この貫通孔２１２２は、押さえ部材２４の貫通孔２４４と対応する位置に設けられている。
【００３７】
次に、光源ユニット２の組立手順を説明する。ただし、プラグコネクタ２６は、既に２本の電線を介してＬＥＤモジュール２０と電気的に接続されている。
【００３８】
まず、組立作業を行う作業者は、放熱部材２１の結合部２１０の上面に熱伝導シート２５を敷き、その熱伝導シート２５の上に、ＬＥＤチップの実装面を上にしてＬＥＤモジュール２０を載せる。そして、作業者は、プラグコネクタ２６及び２本の電線を孔２４０に通し、かつ、コネクタ保持部２４３を連結部２１２の挿入孔２１２０に挿入しつつ、熱伝導シート２５及びＬＥＤモジュール２０の上から押さえ部材２４をかぶせる。このとき、作業者は、孔２４０の四隅をＬＥＤモジュール２０の実装基板２００の四隅に位置合わせし、一対の押さえ突起２４２でＬＥＤモジュール２０（の実装基板２００）の２つの角を上から押さえる（図８参照）。さらに、作業者は、押さえ部材２４のコネクタ保持部２４３にプラグコネクタ２６を上から差し込むことにより、コネクタ保持部２４３にプラグコネクタ２６を保持させる。また、作業者は、プラグコネクタ２６とＬＥＤモジュール２０を電気的に接続する２本の電線を、押さえ部材２４の凹所２４１内に収める。
【００３９】
続いて、作業者は、押さえ部材２４の上側にレンズ部材２２を載せた後、レンズ部材２２のレンズ部２２０が窓孔２３１に挿入されるようにして、レンズ部材２２の上側に取付部材２３を載せる。このとき、作業者は、取付部材２３の一対の引掛部２３２を、放熱部材２１の被引掛部２１３（の切欠２１３０）に上から挿入した後、取付部材２３を上から見て時計回りの向きに回転させる。すると、引掛部２３２の引掛片２３２１と枠部２３０（の周壁部２３０１）との間の隙間に、被引掛部２１３（の被引掛部位２１３１）が挿入されるので、引掛部２３２が被引掛部２１３に引っ掛けられる（図１及び図３Ａ参照）。そして、図８に示すように、枠部２３０の主部２３００がレンズ部材２２の鍔部２２１の上面にかぶさるため、取付部材２３と放熱部材２１との間で、押さえ部材２４及びレンズ部材２２が挟み込まれて保持される。
【００４０】
最後に、作業者は、取付部材２３の固定部２３３の挿入孔２３３０に上から挿入したねじを、放熱部材２１の連結部２１２に設けられているねじ孔２１２１にねじ込む。その結果、取付部材２３は、上から見て反時計回りの向きに回転不能となり、放熱部材２１から脱落しなくなる。ただし、取付部材２３の固定部２３３と、放熱部材２１の連結部２１２との固定はねじ止めに限定されない。例えば、固定部２３３に設けられる突起が連結部２１２に設けられる孔に挿入され、かつ、熱かしめされることで固定部２３３と連結部２１２が固定されてもよい。以上のようにして、光源ユニット２の組立が完了する（図６参照）。
【００４１】
次に、本実施形態に係る照明器具Ｘの組立手順を説明する。ただし、一対の支持具６は、既に器具本体１に取り付けられている。
【００４２】
まず、組立作業を行う作業者は、図１に示すように、器具本体１内に点灯ユニット４を収容し、器具本体１の上板１１の固定片１１０に点灯ユニット４の筐体４１をねじ止めして固定する（図３Ａ参照）。それから、作業者は、既に組立作業が完了している光源ユニット２を点灯ユニット４の筐体４１に取り付ける。ここで、筐体４１の下面には、放熱部材２１の２つの丸孔２１１０にそれぞれ個別に挿入される２つの突起４１１が下向きに突出するように設けられている。作業者は、放熱部材２１の固定部２１１に設けられている２つの丸孔２１１０に２つの突起４１１を個別に挿入させるようにして、固定部２１１を筐体４１の下面に載せる。ただし、作業者は、器具本体１の被固定部１２が放熱部材２１の下になるように、被固定部１２と筐体４１の下面との間に固定部２１１を挿入する（図２参照）。そして、作業者は、被固定部１２の挿入孔１２０に挿入したねじを、固定部２１１（基台２１）のねじ孔２１１１にねじ込むことにより、光源ユニット２を基台２１を介して点灯ユニット４の筐体４１に取り付ける（図２参照）。このとき、光源ユニット２のプラグコネクタ２６は、筐体４１の中央にある開口部４１０Ｂの奥に配置されているレセプタクルコネクタ４０８と電気的かつ機械的に接続される。また、光源ユニット２が点灯ユニット４に取り付けられた状態では、筐体４１の下面の開口部４１０Ｄから露出する受信部４０７は、放熱部材２１の貫通孔２１２２と、押さえ部材２４の貫通孔２４４とを介してレンズ部材２２の鍔部２２１に対向している。
【００４３】
続いて、作業者は、器具本体１内に電池ユニット３を収容する。電池ユニット３のコネクタ部３２は、電池ユニット３が器具本体１内に収容される際に、点灯ユニット４の筐体４１に設けられている開口部４１０Ａを通して、点灯ユニット４の受け側のコネクタと電気的かつ機械的に接続される。なお、電池ユニット３が器具本体１内に収容された状態では、電池ユニット３に設けられた突起が、点灯ユニット４の筐体４１に設けられた凹部と引っ掛かることで、器具本体１に固定された筐体４１に電池ユニット３が取り付けられた状態となる。
【００４４】
最後に、作業者は、一対の取付ばね７を器具本体１の内周面の前側及び後側にそれぞれ一対ずつ設けられる挿通溝１３に挿入することにより、器具本体１の下面を閉塞するようにカバー５を器具本体１に保持させる（図３Ａ、図３Ｂ及び図３Ｃ参照）。以上のようにして、照明器具Ｘの組立作業が完了する。照明器具Ｘの組立が完了した状態で、外部から赤外線などの無線信号がカバー５の貫通孔５０と取付部材２３の窓孔２３１とを通ってレンズ部材２２の鍔部２２１に入射した場合、無線信号は貫通孔２４４，２１２２を通過して受信部４０７に受信されることになる。したがって、点検作業を実施する作業者はワイヤレス送信器（外部機器）を操作することで、ワイヤレス送信器から照明器具Ｘに試験点灯を指示する無線信号が送信され、照明器具Ｘに試験点灯の動作を行わせることができる。
【００４５】
なお、本実施形態の照明器具Ｘでは、鍔部２２１において貫通孔５０から露出する部位を放熱部材２１に投影した投影範囲（つまり、鍔部２２１において貫通孔５０から露出する部位と上下方向において重なる範囲）に貫通孔２１２２が設けられている。そして、照明器具Ｘでは、貫通孔２１２２に対応する位置に受信部４０７が配置されているが、受信部４０７の配置は上記の配置に限定されない。例えば、放熱部材２１においてレンズ部２２０の投影範囲（レンズ部２２０と上下方向において重なる範囲）に貫通部が設けられ、この貫通部に対応する位置に受信部４０７が配置されてもよい。また、押さえ部材２４には、放熱部材２１の貫通部と対応する部位に貫通部が設けられている。このような配置であっても、外部から赤外線などの無線信号がレンズ部材２２のレンズ部２２０に入射した場合、無線信号は押さえ部材２４及び放熱部材２１の貫通孔を通過して受信部４０７に受信される。したがって、点検作業を実施する作業者はワイヤレス送信器を操作することで、ワイヤレス送信器から照明器具Ｘに試験点灯を指示する無線信号が送信され、照明器具Ｘに試験点灯の動作を行わせることができる。
【００４６】
また、本実施形態の照明器具Ｘでは、受信部４０７が赤外線などの光を通信媒体とする無線信号を受光する受光モジュールである、受信部４０７は電波を通信媒体とする無線信号を受信する無線通信モジュールでもよい。非常灯のような照明器具Ｘでは、カバー５は難燃性を考慮して金属で形成されているので、カバー５によって覆われる位置に受信部４０７が配置されていると、電波を通信媒体とする無線信号はカバー５によって減衰されて、受信部４０７に届きにくくなる。本実施形態では、ガラス製のレンズ部材２２が有する鍔部２２１において貫通孔５０から露出する部位を放熱部材２１（基台）に投影した投影範囲に受信部４０７が配置されているので、電波を媒体とする無線信号を受信部４０７が受信しやすくなる。
【００４７】
ところで、本実施形態に係る照明器具Ｘは埋込型の照明器具に限定されず、天井に直付けされる直付け型の照明器具でもよい。
【００４８】
直付け型の照明器具ＸＸは、図９及び図１０に示すように、円盤状の器具本体１と、円錐台形状のカバー５とを有する。なお、上述の実施形態と共通の機能を有する構成要素には同一の符号を付して説明を省略する。
【００４９】
器具本体１は、天井にねじ止めなどの固定方法で直付けされる。点灯ユニット４は、固定金具１４によって器具本体１に固定される。固定金具１４は、帯状の金属板の長手方向における両端部分が互いに異なる向きに曲げ起こされるように構成される。そして、固定金具１４は、一方の端部１４０で器具本体１にねじ止めされ、他方の端部１４１が光源ユニット２の放熱部材２１（の固定部２１１）とともに点灯ユニット４の筐体４１にねじ止めされる。このようにして点灯ユニット４は固定金具１４によって器具本体１に固定される（図１０参照）。また、器具本体１には、２つの取付ばね７が取り付けられる（図１０参照）。
【００５０】
一方、カバー５の内周面には、２つの取付ばね７がそれぞれ個別に挿入される挿通溝が設けられている。つまり、カバー５は、これら２つの取付ばね７が挿通溝に挿入されることで器具本体１に着脱可能に取り付けられる（図９参照）。
【００５１】
カバー５の下面の中央には円形の貫通孔５０が設けられ、貫通孔５０からレンズ部材２２のレンズ部２２０が露出している。直付け型の照明器具ＸＸでは、点灯ユニット４が備える筐体４１の下面において、レンズ部２２０の投影範囲（レンズ部２２０と上下方向において重なる部位）に、受信部４０７が配置されている（図１０参照）。そして、放熱部材２１及び押さえ部材２４には、それぞれ上下方向において受信部４０７と重なる部位に貫通孔が設けられている。したがって、照明器具ＸＸが組み立てられた状態において、外部から赤外線などの無線信号がレンズ部材２２のレンズ部２２０に入射した場合、無線信号は押さえ部材２４及び放熱部材２１の貫通孔を通過して受信部４０７に受信されることになる。したがって、点検作業を実施する作業者はワイヤレス送信器（外部機器）を操作することで、ワイヤレス送信器から照明器具Ｘに試験点灯を指示する無線信号が送信され、照明器具Ｘに試験点灯の動作を行わせることができる。
【００５２】
なお、直付け型の照明器具ＸＸにおいて、カバー５の貫通孔５０からレンズ部材２２の鍔部２２１を露出させてもよく、その場合は鍔部２２１において貫通孔５０から露出する部位を基台である放熱部材２１に投影した投影範囲に受信部４０７が配置されればよい。外部からカバー５の貫通孔５０を通過して赤外線などの無線信号がレンズ部材２２の鍔部２２１に入射した場合、無線信号は押さえ部材２４及び放熱部材２１の貫通孔を通過して受信部４０７に受信される。したがって、点検作業を実施する作業者はワイヤレス送信器（外部機器）を操作することで、ワイヤレス送信器から照明器具Ｘに試験点灯を指示する無線信号が送信され、照明器具Ｘに試験点灯の動作を行わせることができる。
【００５３】
また、直付け型の照明器具ＸＸにおいて、受信部４０７は電波を通信媒体とする無線信号を受信するように構成されてもよい。受信部４０７は、カバー５の貫通孔５０に対応する位置に配置されているので、カバー５が金属製であっても、受信部４０７は電波を媒体とする無線信号を受信しやすくなる。
【００５４】
以上説明したように、本実施形態の照明器具Ｘ，ＸＸは、固体発光素子（本実施形態ではＬＥＤモジュール２０）と、基台（本実施形態では放熱部材２１）と、レンズ部材２２と、点灯回路４０２と、受信部４０７とを備える。基台は固体発光素子を保持する。レンズ部材２２は、固体発光素子と対向して配置されており、固体発光素子から照射される光の配光を制御する。点灯回路４０２は固体発光素子を点灯させる。受信部４０７は、外部機器から送信される無線信号を受信する。点灯回路４０２は、受信部４０７が無線信号を受信した場合に無線信号の制御内容に応じて固体発光素子の点灯状態を制御するように構成されている。受信部４０７は、基台においてレンズ部材２２の投影範囲に設けられた貫通部（本実施形態では貫通孔２１２２）を通して無線信号を受信可能な位置に配置されている。
【００５５】
受信部４０７は、レンズ部材と、基台においてレンズ部材２２の投影範囲に配置された貫通部とを通して無線信号を受信できるので、照明器具においてレンズ部材２２の外側部分に無線信号（光信号、電波信号など）を通過させる開口を設ける必要がない。したがって、照明器具においてレンズ部材２２の外側部分に無線信号を通過させるための開口を設ける場合に比べて、照明器具全体の小型化を図ることができる。
【００５６】
本実施形態の照明器具Ｘ，ＸＸにおいて、二次電池３０と、外部電源Ｗから電力供給を受けて二次電池３０を充電する充電回路４０１とを更に備えてもよい。点灯回路４０２は、外部電源Ｗが通電している状態では固体発光素子（ＬＥＤモジュール２０）を消灯させ、外部電源Ｗが停電している状態では二次電池３０から供給される電力で固体発光素子を点灯させてもよい。そして、点灯回路４０２は、外部電源Ｗが通電している状態で試験点灯を指示する無線信号を受信部４０７が受信した場合に、二次電池３０から供給される電力で固体発光素子を試験点灯させてもよい。
【００５７】
これにより、外部電源Ｗが通電している状態で、外部機器から照明器具Ｘ，ＸＸに試験点灯を指示する無線信号を送信することで、照明器具Ｘ，ＸＸを試験点灯させることができる。
【００５８】
また、本実施形態の照明器具Ｘ，ＸＸにおいて、レンズ部材２２の出射側に配置されたカバー５を、更に備えてもよい。レンズ部材２２は、カバー５に設けられた貫通孔５０から露出するレンズ部２２０と、レンズ部２２０の外縁部分から外向きに突出しておりカバー５における貫通孔５０の周縁部と接触する鍔部２２１とを有してもよい。そして、鍔部２２１において貫通孔５０から露出する部位を基台（放熱部材２１）に投影した投影範囲に貫通部（貫通孔２１２２）が設けられてもよい。
【００５９】
これにより、受信部４０７は、貫通孔５０を通して鍔部２２１に入射した無線信号を、基台に設けられた貫通部を通して受信することができる。また、カバー５に、無線信号を通過させるための孔を設ける必要がない、という利点もある。
【００６０】
また、本実施形態の照明器具Ｘ，ＸＸにおいて、レンズ部材２２の出射側に配置されたカバー５を、更に備えてもよい。レンズ部材２２は、カバー５に設けられた貫通孔５０から露出するレンズ部２２０と、レンズ部２２０の外縁部分から外向きに突出しておりカバー５における貫通孔５０の周縁部と接触する鍔部２２１とを有してもよい。そして、基台（放熱部材２１）におけるレンズ部２２０の投影範囲に貫通部（貫通孔２１２２）が設けられてもよい。
【００６１】
これにより、受信部４０７は、貫通孔５０より露出するレンズ部２２０に入射した無線信号を、基台に設けられた貫通部を通して受信することができる。また、カバー５に、無線信号を通過させるための孔を設ける必要がない、という利点もある。
【符号の説明】
【００６２】
Ｘ，ＸＸ  照明器具
２  光源ユニット
３  電池ユニット
４  点灯ユニット
５  カバー
２０  ＬＥＤモジュール（固体発光素子）
２１  放熱部材（基台）
２２  レンズ部材
３０  二次電池
５０  貫通孔
２２０  レンズ部
２２１  鍔部
４０１  充電回路
４０２  点灯回路
４０７  受信部
２１２２  貫通孔（貫通部）
【図１】
2017073276.tif 000003
【図２】
2017073276.tif 000004
【図３】
2017073276.tif 000005
【図４】
2017073276.tif 000006
【図５】
2017073276.tif 000007
【図６】
2017073276.tif 000008
【図７】
2017073276.tif 000009
【図８】
2017073276.tif 000010
【図９】
2017073276.tif 000011
【図１０】
2017073276.tif 000012